(57)【特許請求の範囲】
【請求項１】
帯状のフレキシブル絶縁シート内に複数の信号線を長手方向に延びて並列配置して構成されるフラットケーブルの端部に設けられるフラットケーブルコネクタであって、
前記フラットケーブルの端部において前記複数の信号線を露出させてケーブルコンタクト部を形成した状態で前記フラットケーブルの端部をコネクタハウジングの挿入空間内に挿入保持して構成され、前記コネクタハウジングは相手コネクタと嵌合して前記相手コネクタの相手コンタクト部を前記ケーブルコンタクト部と当接させるように構成されており、
前記コネクタハウジングの前記挿入空間は、後端側に開口して前記フラットケーブルの端部をその幅方向を左右に延びるようにして受容するように前後に貫通して形成され、
前記挿入空間内に配設されて、前記挿入空間に挿入される前記フラットケーブルの左右方向中間部を上方に押圧する押し上げ部材を有し、
前記フラットケーブルは、前記ケーブルコンタクト部を形成する部分より後側において幅方向外側に延びる係止部を左右両側に備え、
前記コネクタハウジングは、前記後端側の開口から前記挿入空間内に挿入されて前記押し上げ部材により上方に押圧された前記フラットケーブルの前記左右係止部を下方に押し下げる左右一対の押し下げ部を有しており、
前記フラットケーブルの端部を前記挿入空間内に挿入する途中において、前記押し上げ部材が前記フラットケーブルの左右方向中間部分を上方に押し上げるとともに、前記押し下げ部が前記左右係止部を下方に押し下げて前記フラットケーブルの前記左右係止部を下方に弾性変形させ、挿入を完了したときに前記左右係止部が前記押し下げ部を通過して弾性変形が復帰して上動して前記押し下げ部と前後に対向し、前記フラットケーブルの端部が前記コネクタハウジング内に挿入された状態で係止保持されるように構成されたことを特徴とするフラットケーブルコネクタ。
【請求項２】
前記コネクタハウジングの前部に、前記フラットケーブルの端部が前記挿入空間内に挿入完了された状態で、前記ケーブルコンタクト部を露出させて前記フラットケーブルの端部を保持する保持部が設けられていることを特徴とする請求項１に記載のフラットケーブルコネクタ。
【請求項３】
前記保持部が、前記フラットケーブルの端部を前記ケーブルコンタクト部を露出させてその背面を支持する支持部と、前記フラットケーブルの端部の左右両側を挟持して保持する挟持部とを備えることを特徴とする請求項２に記載のフラットケーブルコネクタ。
【請求項４】
前記押し上げ部材が、導電性材料を用いて構成され、
前記フラットケーブルの表面に、導電性材料からなるシールド部材が設けられており、
前記相手コネクタは、導電性材料を用いて構成されグランド接続されるグランド接続部材を備え、
前記フラットケーブルの端部が前記挿入空間内に挿入完了された状態で、前記シールド部材に前記押し上げ部材が接触して前記フラットケーブルを上方に押圧する構成であり、
前記フラットケーブルの端部が前記挿入空間内に挿入された前記コネクタハウジングを前記相手コネクタに嵌合させることにより、前記押し上げ部材に前記グランド接続部材が接触する構成であり、
前記押し上げ部材および前記グランド接続部材を介して、前記シールド部材をグランド接続可能に構成されたことを特徴とする請求項１〜３のいずれか一項に記載のフラットケーブルコネクタ。
【発明の詳細な説明】
【技術分野】
【０００１】
本発明は、フレキシブルフラットケーブルの端部に取り付けられるフラットケーブルコネクタに関する。
【背景技術】
【０００２】
フレキシブルフラットケーブル（以下、フラットケーブルもしくはＦＦＣと称する）は、薄い帯状の絶縁シートの上に長手方向に複数の信号線を並列配置し、その上を絶縁シートで覆って形成される。このようなフラットケーブルを用いて信号などの伝送を行う場合、フラットケーブルを電気装置と接続するために一般的にコネクタが用いられる。このようなコネクタ（フラットケーブルコネクタ）の一例が、例えば特許文献１に開示されている。特許文献１に開示された雌側コネクタは、ハウジング１０にコンタクトピン１２を取り付けて構成され、コンタクトピン１２が取り付けられたハウジング１０内にフラットケーブル１６の先端部（雄側コネクタ）を挿抜させることにより、フラットケーブル１６の先端部において露出された端子部１６ｃとコンタクトピン１２とを断接させて電気接続・解除を行うようになっている。
【０００３】
特許文献１のフラットケーブルコネクタにおいては、上述のように、フラットケーブル１６の先端部が雄側コネクタとして用いられ、この雄側コネクタがハウジング１０内に挿抜される構成である。このため、フラットケーブル１６の先端部の剛性を高くする必要があり、フラットケーブル１６の先端部背面側には硬質補助板１８が設けられている。このようにして、フラットケーブル１６がハウジング１０内に挿入されるときの剛性を確保し、端子部１６ｃとコンタクトピン１２との間の電気的な接続、およびハウジング１０への嵌合挿入を容易にするようになっている（段落００１８の記載参照）。
【先行技術文献】
【特許文献】
【０００４】
【特許文献１】特開２００１−２６６９７８号公報
【発明の概要】
【発明が解決しようとする課題】
【０００５】
上記のように特許文献１のフラットケーブルコネクタでは、フラットケーブル１６の先端部に硬質補助板１８を取り付けて剛性を高め、この先端部を雄側コネクタとして用いる構成であるが、雄側コネクタを、コネクタハウジングを用いた従来一般的に知られているコネクタ構成とすることもある。この場合には、フラットケーブルの先端部にコネクタハウジングを取り付けてフラットケーブルコネクタを構成し、このフラットケーブルコネクタを相手コネクタ（例えば、特許文献１の雌側コネクタ）と挿抜嵌合させて、フラットケーブルの信号線を相手コネクタの相手コンタクトと電気接続させる構成とするのが一般的である。このような構成とする場合、フラットケーブルの先端部に取り付けられるフラットケーブルコネクタの構成をできる限り簡単な構成とすることが望まれる。
【０００６】
本発明は上記課題に鑑みてなされたものであり、構成が簡単で且つ組立が容易なフラットケーブルコネクタを提供することを目的とする。
【課題を解決するための手段】
【０００７】
上記目的を達成するため、本発明に係るフラットケーブルコネクタ（例えば、実施形態におけるプラグコネクタ１）は、帯状のフレキシブル絶縁シート（例えば、実施形態における下側絶縁シート５１、上側絶縁シート５３）内に複数の信号線（例えば、実施形態に
おける導体５２）を長手方向に延びて並列配置して構成されるフラットケーブル（例えば、実施形態におけるＦＦＣ５０）の端部に設けられるフラットケーブルコネクタであって、前記フラットケーブルの端部において前記複数の信号線を露出させてケーブルコンタクト部（例えば、実施形態における導体５２）を形成した状態で前記フラットケーブルの端部をコネクタハウジング（例えば、実施形態におけるプラグ側コネクタハウジング１０）の挿入空間内に挿入保持して構成され、前記コネクタハウジングは相手コネクタと嵌合して前記相手コネクタ（例えば、実施形態におけるレセプタクルコネクタ１００）の相手コンタクト部（例えば、実施形態におけるレセプタクルコンタクト１３０）を前記ケーブルコンタクト部と当接させるように構成されており、前記コネクタハウジングの前記挿入空間は、後端側に開口して前記フラットケーブルの端部をその幅方向を左右に延びるようにして受容するように前後に貫通して形成され、前記挿入空間内に配設されて、前記挿入空間に挿入される前記フラットケーブルの左右方向中間部を上方に押圧する押し上げ部材（例えば、実施形態におけるプラグ側シェル部材４０）を有し、前記フラットケーブルは、前記ケーブルコンタクト部を形成する部分より後側において幅方向外側に延びる係止部を左右両側に備え、前記コネクタハウジングは、前記後端側の開口から前記挿入空間内に挿入されて前記押し上げ部材により上方に押圧された前記フラットケーブルの前記左右係止部を下方に押し下げる左右一対の押し下げ部（例えば、実施形態における押圧部１５）を有しており、前記フラットケーブルの端部を前記挿入空間内に挿入する途中において、前記押し上げ部材が前記フラットケーブルの左右方向中間部分を上方に押し上げるとともに、前記押し下げ部が前記左右係止部を下方に押し下げて前記フラットケーブルの前記左右係止部を下方に弾性変形させ、挿入を完了したときに前記左右係止部が前記押し下げ部を通過して弾性変形が復帰して上動して前記押し下げ部と前後に対向し、前記フラットケーブルの端部が前記コネクタハウジング内に挿入された状態で係止保持されるように構成される。
【０００８】
上述のフラットケーブルコネクタにおいて、前記コネクタハウジングの前部に、前記フラットケーブルの端部が前記挿入空間内に挿入完了された状態で、前記ケーブルコンタクト部を露出させて前記フラットケーブルの端部を保持する保持部（例えば、実施形態における嵌合部１３）が設けられていることが好ましい。
【０００９】
前記保持部が、前記フラットケーブルの端部を前記ケーブルコンタクト部を露出させてその背面を支持する支持部（例えば、実施形態におけるＦＦＣ支持部１３ａ）と、前記フラットケーブルの端部の左右両側を挟持して保持する挟持部（例えば、実施形態におけるＦＦＣ保持溝１３ｃ）とを備えることが好ましい。
【００１０】
また、前記押し上げ部材が、導電性材料を用いて構成され、前記フラットケーブルの表面に、導電性材料からなるシールド部材（例えば、実施形態におけるシールド板５５、シールドテープ５６）が設けられており、前記相手コネクタは、導電性材料を用いて構成されグランド接続されるグランド接続部材（例えば、実施形態におけるレセプタクル側シェル部材１２０）を備え、前記フラットケーブルの端部が前記挿入空間内に挿入完了された状態で、前記シールド部材に前記押し上げ部材が接触して前記フラットケーブルを上方に押圧する構成であり、前記フラットケーブルの端部が前記挿入空間内に挿入された前記コネクタハウジングを前記相手コネクタに嵌合させることにより、前記押し上げ部材に前記グランド接続部材が接触する構成であり、前記押し上げ部材および前記グランド接続部材を介して、前記シールド部材をグランド接続可能に構成されることが好ましい。
【発明の効果】
【００１１】
本発明に係るフラットケーブルコネクタは、フラットケーブルの端部をコネクタハウジングの挿入空間内に挿入保持して構成されるが、フラットケーブルの端部を挿入するときに、まず、押し上げ部材がフラットケーブルの左右方向中間部分を上方に押し上げるとと
もに、押し下げ部が左右係止部を下方に押し下げて下方に弾性変形させ、その後挿入を完了したときに左右係止部が押し下げ部を通過して弾性変形が復帰して上動し、押し下げ部と前後に対向して係止保持されるように構成される。このように、フラットケーブルの端部を挿入空間内に挿入保持させてフラットケーブルコネクタを構成するときに、フラットケーブルを挿入空間に前後に挿入するだけで、フラットケーブルの係止部がコネクタハウジングの押し下げ部と前後に対向して係止保持されるので、フラットケーブルコネクタの組み立てを容易に行うことができる。また、本発明に係るフラットケーブルコネクタは、フラットケーブルの係止部の押し下げおよび押し上げを、フラットケーブル自身の可撓性を効果的に利用して行う構成なので、フラットケーブルの係止部の押し下げおよび押し上げのための構成を簡単にして、フラットケーブルコネクタ全体の構成を簡単にすることができる。
【００１２】
上述のフラットケーブルコネクタにおいて、コネクタハウジングの前部に、ケーブルコンタクト部を露出させてフラットケーブルの端部を保持する保持部を設ける構成とすることが好ましく、このような構成とすれば、コネクタハウジングの保持部にフラットケーブルの端部が保持されて、フラットケーブルの端部の剛性を高めることができる。これにより、フラットケーブルコネクタを相手コネクタに嵌合させたときに、相手コネクタの相手コンタクト部にケーブルコンタクト部を確実且つ安定して接触させることができる。
【００１３】
保持部が、フラットケーブルの端部の背面を支持する支持部と、フラットケーブルの端部の左右両側を挟持して保持する挟持部とを備えることが好ましく、この構成により、フラットケーブルの端部（ケーブルコンタクト部）を支持部に沿った状態に保持することができる。このため、相手コネクタに嵌合させたときに、相手コンタクト部にケーブルコンタクト部を確実且つ安定して接触させることができる。
【００１４】
また、コネクタハウジングを相手コネクタに嵌合させることにより押し上げ部材にグランド接続部材が接触して、押し上げ部材およびグランド接続部材を介して、フラットケーブルのシールド部材をグランド接続可能に構成されることが好ましい。このように構成すれば、フラットケーブルを押し上げる押し上げ部材をグランド接続用に兼用して、部品点数を減らしつつフラットケーブルで発生するノイズ等を除去可能になる。
【図面の簡単な説明】
【００１５】
【図１】レセプタクルコネクタにプラグコネクタが嵌合される前の状態を、斜め上方から示す斜視図である。
【図２】（ａ）はプラグコネクタを斜め前方から示す斜視図（一部断面図）であり、（ｂ）は図２（ａ）中におけるＩＩ（ｂ）−ＩＩ（ｂ）部分の断面図である。
【図３】プラグコネクタを構成するハウジング本体部材を示す図であって、（ａ）は背面図、（ｂ）は平面図、（ｃ）は正面図、（ｄ）は底面図、（ｅ）は左側面図である。
【図４】ハウジング本体部材の断面図であって、（ａ）は図３中のＩＶ（ａ）−ＩＶ（ａ）部分の断面図、（ｂ）は図３中のＩＶ（ｂ）−ＩＶ（ｂ）部分の断面図、（ｃ）は図３中のＩＶ（ｃ）−ＩＶ（ｃ）部分の断面図、（ｄ）は図３中のＩＶ（ｄ）−ＩＶ（ｄ）部分の断面図である。
【図５】プラグコネクタを構成するエジェクト・ロック部材を示す図であって、（ａ）は左側面図、（ｂ）は平面図、（ｃ）は正面図である。
【図６】プラグコネクタを構成するプラグ側シェル部材を示す図であって、（ａ）は背面図、（ｂ）は平面図、（ｃ）は正面図、（ｄ）は左側面図である。
【図７】ＦＦＣを示す図であって、（ａ）は正面図、（ｂ）は右側面図、（ｃ）は背面図、（ｄ）は図７（ｂ）の点線で囲んだ部分の部分拡大図である。
【図８】上記レセプタクルコネクタを示す図であって、（ａ）は背面図、（ｂ）は平面図、（ｃ）は正面図、（ｄ）は底面図、（ｅ）は左側面図である。
【図９】レセプタクルコネクタの断面図であって、（ａ）は図８中のＩＸ（ａ）−ＩＸ（ａ）部分の断面図、（ｂ）は図８中のＩＸ（ｂ）−ＩＸ（ｂ）部分の断面図である。
【図１０】レセプタクルコネクタを構成するレセプタクルハウジングを示す図であって、（ａ）は背面図、（ｂ）は平面図、（ｃ）は正面図、（ｄ）は底面図、（ｅ）は左側面図である。
【図１１】レセプタクルコネクタを構成するレセプタクル側シェル部材を示す図であって、（ａ）は背面図、（ｂ）は平面図、（ｃ）は正面図、（ｄ）は底面図、（ｅ）は左側面図である。
【図１２】プラグコネクタの断面図であって、（ａ）は図２（ａ）中のＸＩＩ（ａ）−ＸＩＩ（ａ）部分の断面図、（ｂ）は図２（ａ）中のＸＩＩ（ｂ）−ＸＩＩ（ｂ）部分の断面図である。
【図１３】ＦＦＣが挿入される過程を説明するための断面図であって、（ａ）は係止部が押圧部に押圧され始めた状態、（ｂ）は（ａ）の状態からさらにＦＦＣが挿入された状態、（ｃ）はＦＦＣの挿入が完了した状態を示す断面図である。
【図１４】プラグコネクタの断面図であって、（ａ）は図１３（ａ）中のＸＩＶ（ａ）−ＸＩＶ（ａ）部分の断面図、（ｂ）は図１３（ｂ）中のＸＩＶ（ｂ）−ＸＩＶ（ｂ）部分の断面図、（ｃ）は図１３（ｃ）中のＸＩＶ（ｃ）−ＸＩＶ（ｃ）部分の断面図である。
【図１５】（ａ）および（ｂ）は、図１４（ｂ）の状態におけるＦＦＣを示す斜視図である。
【図１６】プラグコネクタが嵌合される過程を説明するための斜視図（一部断面図）であって、（ａ）はエジェクト突起がエジェクト突起当接部に当接する前の状態、（ｂ）はエジェクト突起がエジェクト突起当接部に当接した状態を示す斜視図である。
【図１７】プラグコネクタが嵌合される過程を説明するための斜視図（一部断面図）であって、（ａ）はエジェクト突起がエジェクト突起当接部に当接して回転した状態、（ｂ）は（ａ）の状態からさらにエジェクト・ロック部材が回転した状態を示す斜視図である。
【図１８】プラグコネクタが嵌合された状態を示す斜視図（一部断面図）である。
【発明を実施するための形態】
【００１６】
以下、図面を参照しながら本発明の実施形態について説明する。図１には本発明の一実施形態として、ＦＦＣ５０の端部に取り付けられるプラグコネクタ１と、プラグコネクタ１と嵌合可能に構成されて基板Ｋに実装されるレセプタクルコネクタ１００とから構成されるツーピースコネクタＴを示している。プラグコネクタ１とレセプタクルコネクタ１００とを嵌合させることにより、後述するプラグコネクタ１のプラグコンタクト（ＦＦＣ５０の先端部において露出された導体５２）に、レセプタクルコネクタ１００のレセプタクルコンタクト１３０が弾性的に当接して両者が電気的に接続されるように構成されている。まず、プラグコネクタ１の構成について、図１〜７を参照しながら説明する。なお、説明の便宜上、各図中に付記する矢印方向で前後、左右および上下方向を定義して説明を行う。
【００１７】
プラグコネクタ１は、図１および図２に示すように、樹脂等の絶縁性材料からなるプラグ側コネクタハウジング１０と、導電性材料からなりプラグ側コネクタハウジング１０に取り付けられるプラグ側シェル部材４０（図２（ｂ）参照）とを備え、以下に説明するようにプラグ側コネクタハウジング１０にＦＦＣ５０の先端部を挿入結合して構成される。なお、ＦＦＣ５０の先端部において導体５２が露出しており、このように露出された導体５２によりプラグコンタクトを構成しており、ＦＦＣ５０の先端部がプラグコネクタ１を構成する部材として用いられている。
【００１８】
プラグ側コネクタハウジング１０は、左右に延びる略直方体に形成されたハウジング本
体部材１１と、ハウジング本体部材１１の左右端部に取り付けられる二つのエジェクト・ロック部材３０，３０（図５参照）とから構成される。
【００１９】
ハウジング本体部材１１は、図３に示すように、正面視略矩形に形成された基部１２と、基部１２の前部に繋がって前方に延びる嵌合部１３と、基部１２の左右部分に繋がって左右外側に延びるエジェクト・ロック部材保持部２０，２０とを備えて構成される。嵌合部１３は、略平板状となって前後に延びるＦＦＣ支持部１３ａと、ＦＦＣ支持部１３ａの左右両端部において前後に延びるガイド突起１３ｂ，１３ｂとを備えて構成される。基部１２は、後方に開放されて前後に延びる挿入空間１４を有する略箱状に構成されており、この挿入空間１４がＦＦＣ支持部１３ａの上面側および下面側それぞれに連通している（図４（ｂ）および図４（ｄ）も参照）。なお、図４（ｄ）には、左右両側に設けられたエジェクト・ロック部材保持部２０，２０のうち、右側のエジェクト・ロック部材保持部２０の断面形状のみを示しているが、左側のエジェクト・ロック部材保持部２０も右側と同様の断面形状を有する。
【００２０】
図４（ａ）および図４（ｂ）から分かるように、略箱状に構成された基部１２の上側壁部には、後側が固定されて前方に延びる片持ち支持形状に形成され、先端が前方下側に向けて延びる押圧部１５が設けられている。押圧部１５は、基部１２の上側壁部から下方に向けて（挿入空間１４に向けて）突出している。この押圧部１５は、後述するＦＦＣ５０の係止部５７を下方に撓ませるために用いられる。エジェクト・ロック部材保持部２０には、前後に貫通する収容空間２１が形成されるとともに、上下に貫通する一対の回転軸支持孔２２，２２が形成されている（図４（ｃ）も参照）。
【００２１】
エジェクト・ロック部材３０は、図５に示すように、略平板状に形成されて前後に延びる基部３１と、基部３１の右側後端部において上下に延びる操作部３２とを備えて構成される。基部３１は、後側において前後に延びる後側基部３１ａと、後側基部３１ａの前部に繋がって前方に延びる中間基部３１ｂと、中間基部３１ｂの前部に繋がって前方に延びる前側基部３１ｃと、前側基部３１ｃの前部から左方に延びるロック部３１ｄとから構成される。中間基部３１ｂは、右側部分に略円柱状となって上下に延びる一対の回転軸３３，３３を備えるとともに、左側前端部に前方に突出するエジェクト突起３４を備える。ロック部３１ｄは、左側後端部に後方に突出するロック突起３５を備える。
【００２２】
図５（ｃ）に示すように、エジェクト・ロック部材３０は、正面視において中間基部３１ｂ、前側基部３１ｃおよびロック部３１ｄにより囲まれて左方に開放された係合部収容空間３７を有し、この係合部収容空間３７内に後方からエジェクト突起３４が突出している。この係合部収容空間３７は、後述するＬ字部１１６およびエジェクト突起当接部１２４Ｌ（エジェクト突起当接部１２４Ｒ）を収容可能に形成されている（図１８参照）。
【００２３】
後述するように、エジェクト・ロック部材３０の基部３１をハウジング本体部材１１の収容空間２１に前後に挿入して、エジェクト・ロック部材３０がハウジング本体部材１１に取り付けられる。ここで、エジェクト・ロック部材３０の操作部３２の上下幅がハウジング本体部材１１の上下幅と略同一に構成され、且つ、エジェクト・ロック部材３０がハウジング本体部材１１に取り付けられた状態で、操作部３２がハウジング本体部材１１から上下に突出しないように構成されている。このため、操作部３２をなるべく大きくしてエジェクト・ロック部材３０の操作性を確保しつつ、上下に小型化（薄型化）されたプラグ側コネクタハウジング１０（プラグコネクタ１）を構成できる。
【００２４】
プラグ側シェル部材４０は、図６に示すように、略矩形平板状の基部４１をベースとして構成される。この基部４１に、後側が固定されて前側が自由な片持ち支持形状に形成されて上方に突出する三つのグランドアーム４２と、グランドアーム４２の左右外側におい
てグランドアーム４２と同様な片持ち支持形状に形成されて上方に突出する二つの持上アーム４３と、グランドアーム４２の前側において下方に突出する係止部４４とを備える。グランドアーム４２および持上アーム４３は、先端部分において上方に凸となるように折曲された接触部４２ａ，４３ａ（図６（ｄ）参照）を有して、上下に弾性変形可能である。
【００２５】
ＦＦＣ５０は、図７に示すように、可撓性を有する絶縁性材料からなり前後に延びる帯状の下側絶縁シート５１と、導電性材料を用いてライン状に形成され下側絶縁シート５１上に前後に延びて載置された複数の導体５２と、可撓性を有する絶縁性材料からなり複数の導体５２の上面に貼付され上側絶縁シート５３と、可撓性を有する絶縁性材料からなり下側絶縁シート５１の前部下面に貼付された補強板５４と、導電性材料からなり補強板５４および下側絶縁シート５１の下面に跨って貼付されたシールド板５５と、補強板５４の後方においてシールド板５５、下側絶縁シート５１および上側絶縁シート５３を包むように貼付された導電性を有するシールドテープ５６とを備えて構成される。図７（ａ）に示すように、ＦＦＣ５０の前端部においては、上側絶縁シート５３が除去されて複数の導体５２が上方に露出されている。図７（ａ）では、前後に延びる導体５２のうちで前端部において露出された部分に、ハッチングを付している。なお、図７には、ＦＦＣ５０の前部のみを図示しているが、実際にはＦＦＣ５０は帯状となって後方に延びる形状を有しており、後端部近傍に至る表面（上面および下面）全体にシールドテープ５６が貼付されて構成される。
【００２６】
ＦＦＣ５０は、図７（ｃ）に示すハッチング領域Ａ，Ａを除去することにより、ＦＦＣ５０の左右端部に、左右外側に延びる一対の係止部５７，５７が形成されている。図７（ｄ）から分かるように、係止部５７は、それぞれ可撓性を有する補強板５４、下側絶縁シート５１および上側絶縁シート５３が上下に積層された部分に形成されているので、その厚み方向（上下方向）に弾性変形可能である。シールド板５５は、三つのグランドアーム４２に対応した左右寸法を有しており、後述するように挿入空間１４にＦＦＣ５０を挿入すると、三つのグランドアーム４２がシールド板５５に当接するとともに、二つの持上アーム４３がシールド板５５の左右外側の補強板５４に当接する。また、係止部５７，５７の左右位置に対応させて押圧部１５，１５を設けているので、挿入空間１４にＦＦＣ５０を挿入すると、係止部５７，５７は押圧部１５，１５により下方に押圧される。
【００２７】
次に、レセプタクルコネクタ１００の構成について、図８〜図１１を参照しながら説明する。
【００２８】
レセプタクルコネクタ１００は、図８に示すように、樹脂等の絶縁性材料からなるレセプタクル側コネクタハウシング１１０と、導電性材料からなりレセプタクル側コネクタハウシング１１０に取り付けられるレセプタクル側シェル部材１２０と、導電性材料からなりレセプタクル側コネクタハウシング１１０に取り付けられる複数のレセプタクルコンタクト１３０とを備えて構成される。
【００２９】
レセプタクル側コネクタハウシング１１０は、図１０に示すように、略平板状に形成された前底部１１１Ｆと、前底部１１１Ｆの下部に繋がって後方に立設された下壁部１１１Ｄと、前底部１１１Ｆの上部に繋がって後方に立設された上壁部１１１Ｕと、下壁部１１１Ｄおよび上壁部１１１Ｕの右部に繋がって上下に延びる右壁部１１１Ｒと、下壁部１１１Ｄおよび上壁部１１１Ｕの左部に繋がって上下に延びる左壁部１１１Ｌとを備えて、略直方体に構成される。このレセプタクル側コネクタハウシング１１０は、壁部１１１Ｆ，１１１Ｄ，１１１Ｕ，１１１Ｒ，１１１Ｌにより囲まれて後方に向けて開放された嵌合空間１１２を有し、この嵌合空間１１２に対して後方からプラグコネクタ１の嵌合部１３が嵌合挿入される。前底部１１１Ｆには、前後に貫通する係止孔１１９が左右に三つ並んで
形成されている。上壁部１１１Ｕの下面（嵌合空間１１２側の面）には、複数のレセプタクルコンタクト１３０を左右に並んだ状態に保持する複数のコンタクト保持溝１１３が形成されている。また、上壁部１１１Ｕの上面には、前後に貫通する二つの支持孔１１４，１１４が形成されている。
【００３０】
レセプタクル側シェル部材１２０は、図１１に示すように、レセプタクル側コネクタハウシング１１０に取り付けられてレセプタクル側コネクタハウシング１１０を上下および左右外側から囲む平面視略矩形枠状に構成される。より詳細には、下側において左右に延びる下枠部１２１Ｄと、下枠部１２１Ｄの右部に繋がって上方に延びる右枠部１２１Ｒと、下枠部１２１Ｄの左部に繋がって上方に延びる左枠部１２１Ｌと、右枠部１２１Ｒおよび左枠部１２１Ｌの上部に繋がって左右に延びる上枠部１２１Ｕとを備えて構成される。下枠部１２１Ｄは、前側が固定されて後側が自由な片持ち支持形状に形成され上下に弾性変形可能な三つのグランドアーム１２２と、前側下方に延びて基板Ｋ上に形成されたグランド用のパターン（図示せず）に接合される四つの接合部１２３と、グランドアーム１２２に繋がって前方に延びる三つの下側突起１２９とを備える（図９も参照）。右枠部１２１Ｒの後部に、後方に向けて凸となるように折曲されたエジェクト突起当接部１２４Ｒが形成され、左枠部１２１Ｌの後部にも同様に、後方に向けて凸となるエジェクト突起当接部１２４Ｌが形成されている。上枠部１２１Ｕは、前方に延びて形成されレセプタクル側コネクタハウシング１１０の支持孔１１４に挿入されて支持される上側突起１２５，１２５と、前側上方に延びて基板Ｋ上に形成されたグランド用のパターンＰ１（図１参照）に接合される二つの接合部１２６とを備える（図９（ｂ）も参照）。
【００３１】
レセプタクルコンタクト１３０は、図９（ａ）に示すように、側面視略Ｌ字状に形成されており、前後に延びる当接側基部１３１と、当接側基部１３１の前部に繋がって上方に延びる接合側基部１３２とを備えて構成される。当接側基部１３１の後端部近傍に、下方に向けて凸となるように折曲された当接部１３３が形成されている。また、接合側基部１３２の上端部近傍に、基板Ｋ上に形成された配線用のパターンＰ２（図１参照）に接合される接合部１３４が形成されている。このレセプタクルコンタクト１３０は、レセプタクル側コネクタハウシング１１０のコンタクト保持溝１１３に圧入されて、当接側基部１３１の後部（当接部１３３近傍）が上下に弾性変形可能に保持される。
【００３２】
次に、プラグコネクタ１の組立構成について、図１２〜図１５を追加参照して説明する。
【００３３】
以下においては、ハウジング本体部材１１にエジェクト・ロック部材３０，３０を取り付けてプラグ側コネクタハウジング１０を構成し、このプラグ側コネクタハウジング１０にプラグ側シェル部材４０を取り付けた後で、最後にＦＦＣ５０を取り付ける組立手順を例示して説明する。なお、以下に説明する組立手順は一例であって、これ以外の組立手順でプラグコネクタ１を組み立てることも可能である。
【００３４】
ハウジング本体部材１１へのエジェクト・ロック部材３０の取り付けは、エジェクト・ロック部材保持部２０の収容空間２１に対してエジェクト・ロック部材３０を後方から挿入し、エジェクト・ロック部材３０の回転軸３３，３３をエジェクト・ロック部材保持部２０の回転軸支持孔２２，２２に嵌合させて行う。これにより、エジェクト・ロック部材３０が、回転軸３３を中心として回転可能に保持される。より詳細には、基部３１の左右内側の側面３６（図５（ｃ）参照）が、ガイド突起１３ｂの左右外側の側面２０ａ（図４（ｄ）参照）に当接するロック側限界位置と、エジェクト・ロック部材保持部２０の後端部に操作部３２が当接するエジェクト側限界位置（図１参照）との間で回転可能に保持される。
【００３５】
続いて、上記のようにして構成されたプラグ側コネクタハウジング１０に、プラグ側シェル部材４０を取り付ける。この取り付けは、基部１２の挿入空間１４に対してプラグ側シェル部材４０を後方から挿入し、図１２（ａ）に示すように、ＦＦＣ支持部１３ａの下面側にプラグ側シェル部材４０の前部を位置させるようにして行う。これにより、プラグ側シェル部材４０は、基部１２の下側壁部内面に沿うように取り付けられる。この取付状態において、プラグ側シェル部材４０の係止部４４が基部１２の係止部１２ａに前後に対向して係止され、プラグ側シェル部材４０が後方に抜けないように保持される。
【００３６】
続いて、プラグ側シェル部材４０が取り付けられたプラグ側コネクタハウジング１０に、ＦＦＣ５０を取り付ける。このＦＦＣ５０の取り付けは、図１３に示すように、基部１２の挿入空間１４（プラグ側シェル部材４０の上側の空間）に対して、ＦＦＣ５０を後方から挿入するようにして行う。ＦＦＣ５０を後方から挿入して、ＦＦＣ５０の前部（図７（ａ）における導体５２が露出された部分）が、グランドアーム４２の接触部４２ａおよび持上アーム４３の接触部４３ａに接触する挿入位置に達すると、ＦＦＣ５０の前部はグランドアーム４２および持上アーム４３により弾性的に上方に押圧される。これにより、ＦＦＣ５０の前部は、基部１２の上側壁部内面１２ｃに押し付けられて平坦に保持される。一方、上記挿入位置においてＦＦＣ５０の係止部５７は、押圧部１５に当接して下方に押圧され、下方に向けて撓むように弾性変形する。このため、ＦＦＣ５０は、グランドアーム４２および持上アーム４３により前部が上方に押圧されて平坦に保持された状態で、係止部５７およびその近傍部分が下方に向けて撓むように弾性変形する（図１３（ａ）および図１４（ａ）参照）。
【００３７】
図１３（ａ）に示す状態からさらにＦＦＣ５０を前方に挿入すると、ＦＦＣ５０の前部は、グランドアーム４２および持上アーム４３により平坦に保持された状態で、ＦＦＣ支持部１３ａの上面側に到達して支持される。ここで、ＦＦＣ支持部１３ａの上面側の左右両端部には、前後に延びるＦＦＣ保持溝１３ｃ（図２（ａ）参照）が形成されており、ＦＦＣ５０は、左右端部がこのＦＦＣ保持溝１３ｃに嵌合した状態でＦＦＣ支持部１３ａの上面側に支持される。このため、ＦＦＣ５０のうちで支持部１３ａの上面側に支持される部分は、左右のＦＦＣ保持溝１３ｃ，１３ｃおよび基部１２の上側壁部内面１２ｃによって、平坦に保持される。このように、ＦＦＣ５０の前部がＦＦＣ支持部１３ａの上面側に支持される状態において、ＦＦＣ５０の係止部５７が押圧部１５により下方に押圧されるとともに、係止部５７近傍が持上アーム４３により弾性的に上方に押圧される。これにより、係止部５７およびその近傍部分は、持上アーム４３の弾性力に抗して下方へ弾性変形される（図１３（ｂ）および図１４（ｂ）参照）。
【００３８】
図１３（ｂ）および図１４（ｂ）に示すＦＦＣ５０の変形状態を分かりやすく図示したものが、図１５である。この図１５から分かるように、ＦＦＣ５０の前部（ＦＦＣ支持部１３ａの上面側に支持された部分であって、導体５２が露出された部分）は平坦に保持される。一方、ＦＦＣ５０の前部に繋がって後方に延びる部分については、係止部５７およびその近傍部分（左右両端部近傍）が押圧部１５により押圧されて下方に弾性変形するが、左右中間部分はグランドアーム４２により上側壁部内面１２ｃに押し付けられて平坦に保持される。
【００３９】
図１３（ｂ）に示す状態からさらにＦＦＣ５０を前方に挿入すると、図１３（ｃ）に示すように、係止部５７は、押圧部１５の前方に移動して押圧部１５による下方への押圧が解除される。このように押圧部１５による押圧が解除されると、係止部５７およびその近傍部分は、自身の復元力および持上アーム４３による弾性力により上方へ持ち上げられて、基部１２の上側壁部内面１２ｃに押し付けられる。これにより、係止部５７は、押圧部１５の前方に形成された係止部収容空間１２ｂに収容されて、係止部５７およびその近傍部分が前部（導体５２が露出された部分）と同一平面をなすように弾性変形し、ＦＦＣ５
０全体が平坦に保持される。このようにＦＦＣ５０全体が平坦に保持されると、押圧部１５に係止部５７が前後に対向して係止され、ＦＦＣ５０が後方に抜けないように保持される（図１２（ｂ）、図１３（ｃ）および図１４（ｃ）参照）。以上の説明から分かるように、挿入空間１４に対して後方からＦＦＣ５０を挿入するだけで、ＦＦＣ５０を後方に抜けないように簡単に保持させることができる。なお、このようにしてＦＦＣ５０が保持された状態においては、シールド板５５に三つのグランドアーム４２が当接するとともに、シールド板５５の左右外側の補強板５４に二つの持上アーム４３が当接する。
【００４０】
次に、レセプタクルコネクタ１００の組立構成について説明する。レセプタクルコネクタ１００は、レセプタクル側コネクタハウシング１１０にレセプタクル側シェル部材１２０およびレセプタクルコンタクト１３０を取り付けて構成される。なお、レセプタクル側コネクタハウシング１１０へのレセプタクルコンタクト１３０の取付構成については、前述の通りなのでここでの説明を省略する。
【００４１】
レセプタクル側コネクタハウシング１１０へのレセプタクル側シェル部材１２０の取り付けは、支持孔１１４に後方から上側突起１２５を挿入して支持させるとともに、係止孔１１９に後方から下側突起１２９を圧入して係止させることにより行う。これにより、レセプタクル側コネクタハウシング１１０の側面がレセプタクル側シェル部材１２０によって囲まれる。このとき、左壁部１１１Ｌに対して左枠部１２１Ｌ（エジェクト突起当接部１２４Ｌ）が後方から覆うように取り付けられるとともに、右壁部１１１Ｒに対して右枠部１２１Ｒ（エジェクト突起当接部１２４Ｒ）が後方から覆うように取り付けられる。このエジェクト突起当接部１２４Ｌ，１２４Ｒの取付構成について以下に説明する。ここで、両当接部１２４Ｌ，１２４Ｒの取付構成は基本的に同一なので、図１６（ａ）を参照しながらエジェクト突起当接部１２４Ｌについて説明を行って、エジェクト突起当接部１２４Ｒについて説明を省略する。
【００４２】
なお、図１６（ａ）は、左壁部１１１Ｌ（エジェクト突起当接部１２４Ｌ）に対するエジェクト・ロック部材３０の係脱状態を分かりやすく図示するために、エジェクト・ロック部材保持部２０、レセプタクル側コネクタハウシング１１０およびレセプタクル側シェル部材１２０の一部を省略して、左壁部１１１Ｌおよびエジェクト突起当接部１２４Ｌを断面図として示している。このことは、後の説明で参照する図１６（ｂ）、図１７および図１８においても同様である。
【００４３】
図１６（ａ）に示すように、左壁部１１１Ｌは、前後に延びる壁部本体１１５と、壁部本体１１５の前後中央部分に繋がって左方および後方に延びるＬ字状のＬ字部１１６とを備えて構成される。Ｌ字部１１６は、その先端高さ位置が壁部本体１１５の先端高さ位置と略同一になるように構成されている。また、Ｌ字部１１６の左側前部に、前方に突出するロック突起１１６ａが形成されている。このように構成される左壁部１１１Ｌに対して、後方に向けて凸となるＵ字状のエジェクト突起当接部１２４Ｌを取り付けるときは、壁部本体１１５とＬ字部１１６との隙間に対してエジェクト突起当接部１２４Ｌの右側部分を後方から挿入する。このようにして、Ｌ字部１１６を覆うようにエジェクト突起当接部１２４Ｌが取り付けられる。この取付状態において、壁部本体１１５は、エジェクト突起当接部１２４Ｌが取り付けられたＬ字部１１６に対して、エジェクト突起当接部１２４Ｌの分だけ低くなっている。この壁部本体１１５とＬ字部１１６（エジェクト突起当接部１２４Ｌ）との高さの差が、エジェクト突起３４の上下高さ以上となるように構成されており、このため、壁部本体１１５とエジェクト突起当接部１２４Ｌとの段差部分にエジェクト突起３４を入り込ませて収容可能である。
【００４４】
以上のように構成されるレセプタクルコネクタ１００の嵌合空間１１２にプラグコネクタ１の嵌合部１３を嵌合挿入して両者を結合しただけでは、これらに両者の結合を引き抜
く方向（前後方向）に外力が作用した場合に、これらの結合が外れる虞がある。そこで、プラグコネクタ１にエジェクト・ロック部材３０，３０を設けて、このエジェクト・ロック部材３０，３０により、レセプタクルコネクタ１００にプラグコネクタ１を嵌合挿入した状態でこれをロック保持するようになっている。
【００４５】
以下においては、レセプタクルコネクタ１００にプラグコネクタ１を嵌合させるときのエジェクト・ロック部材３０の作動（ロック保持）について、図１および図１６〜図１８を追加参照して説明する。以下では、プラグコネクタ１を後方からレセプタクルコネクタ１００に嵌合させる場合を例示して説明を行う。なお、左右のエジェクト・ロック部材３０，３０の作動は同様なので、以下では、左壁部１１１Ｌに対するエジェクト・ロック部材３０の作動について説明を行って、右壁部１１１Ｒに対するエジェクト・ロック部材３０の作動についての説明を省略する。また、プラグコネクタ１においては、前方が嵌合する方向で後方が抜去（離脱）する方向となり、一方、レセプタクルコネクタ１００においては、前方が抜去する方向で後方が嵌合する方向となる。
【００４６】
プラグコネクタ１を嵌合させるときは、まず、エジェクト・ロック部材３０の操作部３２を操作して、図１に示すように、エジェクト・ロック部材３０をエジェクト側限界位置近傍に位置させて、基部３１の先端を左右外側に開いた状態とする。この状態で、図１６（ａ）に示すように、レセプタクルコネクタ１００の嵌合空間１１２に対して、プラグコネクタ１の嵌合部１３を後方から挿入して嵌合させる。このとき、エジェクト・ロック部材３０のエジェクト突起３４は、エジェクト突起当接部１２４Ｌと前後に対向しているので、プラグコネクタ１をさらに前方に挿入すると、図１６（ｂ）に示すように、エジェクト突起３４がエジェクト突起当接部１２４Ｌに当接する。
【００４７】
より詳細には、エジェクト突起３４は、エジェクト突起当接部１２４Ｌ後端のＵ字状部分のうちで左右内側部分、すなわち、右側前方に向けて湾曲する部分に当接する。このため、この状態でプラグコネクタ１をさらに前方に挿入すると、エジェクト・ロック部材３０は、図１７（ａ）に示すように、エジェクト突起３４をエジェクト突起当接部１２４Ｌに当接させながら、回転軸３３を中心としてスムーズに反時計回りに回転される。また、エジェクト突起３４が当接する部分（エジェクト突起当接部１２４Ｌ）を、ノイズ等を除去するための金属製のレセプタクル側シェル部材１２０を利用して構成しているので、レセプタクルコネクタ１００の構成部品点数を抑えつつエジェクト突起３４が当接する部分の強度が高められている。
【００４８】
これにより、エジェクト突起３４がエジェクト突起当接部１２４Ｌに当接した状態のまま右方に移動するとともに、前側基部３１ｃおよびロック部３１ｄが右方に移動してＬ字部１１６（エジェクト突起当接部１２４Ｌ）に近づく。そして、図１７（ｂ）に示すように、エジェクト突起３４が、エジェクト突起当接部１２４Ｌの右側の収容空間１１７（エジェクト突起当接部１２４Ｌと壁部本体１１５との段差部分）に入り込む。この図１７（ｂ）の状態において、プラグコネクタ１をさらに前方に挿入して嵌合完了位置まで挿入すると、図１８に示すように、エジェクト・ロック部材３０がさらに反時計回りに回転されて、Ｌ字部１１６およびエジェクト突起当接部１２４Ｌが係合部収容空間３７内に収容される。この状態においては、ロック突起３５がロック突起１１６ａの右側に位置するとともに、エジェクト突起３４が収容空間１１７内に収容される。これにより、ロック部３１ｄがＬ字部１１６（エジェクト突起当接部１２４Ｌ）と前後に対向して係合され、エジェクト・ロック部材３０によるロック保持が完了する。なお、ロック保持された状態においては、ロック突起３５がロック突起１１６ａの右側に位置しており、これにより、エジェクト・ロック部材３０が勝手に回転してロック保持が解除されないようになっている。
【００４９】
このようにして、レセプタクルコネクタ１００にプラグコネクタ１が嵌合されてロック
保持されると、ＦＦＣ支持部１３ａの上面側において上方に露出された導体５２に、レセプタクルコンタクト１３０が弾性的に当接して、導体５２とレセプタクルコンタクト１３０とが電気接続される。また、ＦＦＣ支持部１３ａの下面側において下方に露出されたプラグ側シェル部材４０に、レセプタクル側シェル部材１２０のグランドアーム１２２が弾性的に当接する。このため、プラグ側シェル部材４０およびレセプタクル側シェル部材１２０を介して、ＦＦＣ５０のシールドテープ５６を基板Ｋ上のグランド用のパターンに電気接続し、ＦＦＣ５０およびレセプタクルコネクタ１００で発生するノイズ等を基板Ｋ側に逃がすことができる。
【００５０】
以上のようにしてエジェクト・ロック部材３０によりロック保持されると、プラグコネクタ１およびレセプタクルコネクタ１００に前後に外力が作用しても結合状態を保持できる。このため、レセプタクルコネクタ１００からプラグコネクタ１を抜去するときには、まず、エジェクト・ロック部材３０によるロック保持を解除する必要がある。以下においては、ロック保持を解除してレセプタクルコネクタ１００からプラグコネクタ１を抜去するときのエジェクト・ロック部材３０の作動について、図１６〜図１８を参照して説明する。
【００５１】
左壁部１１１Ｌ（右壁部１１１Ｒ）に対するエジェクト・ロック部材３０のロック保持の解除、およびプラグコネクタ１の抜去は、図１８に示す状態（レセプタクルコネクタ１００にプラグコネクタ１が嵌合された状態）において、操作部３２を操作して、ロック側限界位置近傍に位置するエジェクト・ロック部材３０を、図１７（ｂ）、図１７（ａ）および図１６（ｂ）に示す状態に順に回転させて、エジェクト側限界位置近傍に位置させることにより行う。
【００５２】
このように、エジェクト側限界位置に向けてエジェクト・ロック部材３０を回転させるとき、エジェクト・ロック部材３０はエジェクト突起当接部１２４Ｌに当接した状態で回転される。このとき、エジェクト突起３４が、エジェクト突起当接部１２４Ｌのうちの右側前方に向けて湾曲する部分に当接されるので、エジェクト・ロック部材３０を時計回りにスムーズに回転させることができる。ここで、エジェクト・ロック部材３０における回転軸３３から離れた部分（回転半径の大きな部分）を、エジェクト突起当接部１２４Ｌに当接させることにより、エジェクト・ロック部材３０を回転させるときのプラグコネクタ１の持上げ量（後方への移動量）を稼ぐことができるが、本実施形態においては、エジェクト・ロック部材３０に中間基部３１ｂから前方に突出するエジェクト突起３４を設け、このエジェクト突起３４を突起当接部１２４Ｌに当接させる構成としている。このため、例えば基部３１の左右寸法を大きくして、基部３１における回転軸３３から左右に離れた部分をエジェクト突起当接部１２４Ｌに当接させてプラグコネクタ１の持上げ量を稼ぐ構成と比較して、基部３１（エジェクト・ロック部材３０、さらにはプラグコネクタ１）の左右寸法を抑えつつプラグコネクタ１の持上げ量を稼ぐことができる。これにより、導体５２およびレセプタクルコンタクト１３０間の摺動抵抗に抗して手作業で引く抜く引抜き量を少なくして、抜去が容易となる。本実施形態で説明するツーピースコネクタＴは、エジェクト・ロック部材３０の回転操作によってプラグコネクタ１が完全に抜去されて、手作業で引く抜く必要がない構成となっており、このように構成することで抜去が一段と容易になる。
【００５３】
また、図１８に示すように、ロック保持された状態においてエジェクト突起３４が収容空間１１７に収容される構成なので、上述のようにエジェクト突起３４によりエジェクト・ロック部材３０を回転させるときの持上げ量を稼ぐ構成としつつ、プラグコネクタ１をレセプタクルコネクタ１００に嵌合させたときのツーピースコネクタＴ全体の前後高さを低く抑えることが可能である。さらに、エジェクト・ロック部材３０は、左右の操作部３２，３２を左右内側に向けて操作してエジェクト側限界位置に回転させる構成なので、片
手で簡単にロック保持を解除してプラグコネクタ１を抜去可能である。
【００５４】
上述の実施形態においては、二つの持上アーム４３が、シールド板５５ではなくシールド板５５の左右外側の補強板５４に当接する構成を例示して説明したが、例えば三つのグランドアーム４２に加えて二つの持上アーム４３もシールド板５５に当接させるように構成しても良い。
【００５５】
上述の実施形態では、下側絶縁シート５１の下面および上側絶縁シート５３の上面にシールドテープ５６を貼付して構成されるＦＦＣ５０を例示して説明したが、シールドテープ５６の貼付形態はこれに限定されず、例えば下側絶縁シート５１の下面のみや上側絶縁シート５３の上面のみに貼付しても良い。
【００５６】
上述の実施形態では、プラグコネクタ１を嵌合および抜去するときに、エジェクト・ロック部材３０のエジェクト突起３４を、レセプタクル側シェル部材１２０のエジェクト突起当接部１２４Ｌ（エジェクト突起当接部１２４Ｒ）に当接させる構成を説明したが、この構成に代えて、エジェクト突起３４をレセプタクル側コネクタハウシング１１０（左壁部１１１Ｌおよび右壁部１１１Ｒ）に当接させる構成としても良い。
【００５７】
上述の実施形態においては、プラグコネクタ１にエジェクト・ロック部材３０を設けるとともに、レセプタクルコネクタ１００にエジェクト・ロック部材３０と係合するＬ字部１１６およびエジェクト突起当接部１２４Ｌ（エジェクト突起当接部１２４Ｒ）を設けたツーピースコネクタＴを説明した。ツーピースコネクタの構成はこれに限定されず、例えばレセプタクルコネクタ１００にエジェクト・ロック部材を設けるとともに、プラグコネクタ１にエジェクト・ロック部材と係合するＬ字部およびエジェクト突起当接部を設ける構成でも良い。
【００５８】
上述の実施形態においては、エジェクト・ロック部材３０の操作部３２の上下幅が、ハウジング本体部材１１の上下幅と略同一の構成例について説明したが、操作部３２の構成はこれに限定されない。要はハウジング本体部材１１に取り付けられた状態で、操作部３２がハウジング本体部材１１から上下に突出しない構成であれば良く、例えば操作部３２の上下幅をハウジング本体部材１１の上下幅よりも小さくした構成でも良い。
【００５９】
上述の実施形態においては、エジェクト・ロック部材３０の回転操作によってプラグコネクタ１が完全に抜去される構成を説明したが、この構成以外にも、エジェクト・ロック部材３０の回転操作によって完全には抜去されず途中まで抜去される（手作業で引く抜く必要がある）構成としても良い。
【符号の説明】
【００６０】
１      プラグコネクタ（フラットケーブルコネクタ）
１０    プラグ側コネクタハウジング（コネクタハウジング）
１３    嵌合部（保持部）
１３ａ  ＦＦＣ支持部（支持部）
１３ｃ  ＦＦＣ保持溝（挟持部）
１４    挿入空間
１５    押圧部（押し下げ部材）
４０    プラグ側シェル部材（押し上げ部材）
５０    ＦＦＣ（フラットケーブル）
５１    下側絶縁シート（フレキシブル絶縁シート）
５２    導体（信号線、ケーブルコンタクト部）
５３    上側絶縁シート（フレキシブル絶縁シート）
５５    シールド板（シールド部材）
５６    シールドテープ（シールド部材）
５７    係止部
１００  レセプタクルコネクタ（相手コネクタ）
１２０  レセプタクル側シェル部材（グランド接続部材）
１３０  レセプタクルコンタクト（相手コンタクト部）
【図１】
0006437858.tif 000002
【図２】
0006437858.tif 000003
【図３】
0006437858.tif 000004
【図４】
0006437858.tif 000005
【図５】
0006437858.tif 000006
【図６】
0006437858.tif 000007
【図７】
0006437858.tif 000008
【図８】
0006437858.tif 000009
【図９】
0006437858.tif 000010
【図１０】
0006437858.tif 000011
【図１１】
0006437858.tif 000012
【図１２】
0006437858.tif 000013
【図１３】
0006437858.tif 000014
【図１４】
0006437858.tif 000015
【図１５】
0006437858.tif 000016
【図１６】
0006437858.tif 000017
【図１７】
0006437858.tif 000018
【図１８】
0006437858.tif 000019